(57)【要約】      （修正有）【課題】バッグ・イン・バッグをハンドバッグの内部に収納する際には、ストラップをポケットに収納でき、ストラップが絡みつくことがなく、またストラップをバッグ・イン・バッグから取り外したとき、ストラップの長さによってはネックレス等の装身具として使用できるバッグ・イン・バッグを提供する。【解決手段】ハンドバッグに収納されるバッグ・イン・バッグ１２であって、バッグ・イン・バッグ本体１９の開口部２０に、該バッグ・イン・バッグ本体１９に対して着脱可能なストラップ２４を設けると共に、前記バッグ・イン・バッグ本体１９の開口縁部に、前記ストラップ２４の不使用時に該ストラップ２４を収納するポケット２１を設けた。【選択図】図３
0003104436.tif 000002
【実用新案登録請求の範囲】
【請求項１】
ハンドバッグ等に収納されるバッグ・イン・バッグであって、
バッグ・イン・バッグ本体の開口部に、該バッグ・イン・バッグ本体に対して着脱可能なストラップを設けると共に、前記バッグ・イン・バッグ本体の開口縁部に、前記ストラップの不使用時に該ストラップを収納するポケットを設けたことを特徴とするバッグ・イン・バッグ。
【請求項２】
前記ストラップは、両端部に互に連結可能な連結具を備え、前記バッグ・イン・バッグ本体から取り外したとき、装身具として使用できることを特徴とする請求項１記載のバッグ・イン・バッグ。
【請求項３】
前記ストラップは、手提げ用あるいはショルダー用であることを特徴とする請求項１記載のバッグ・イン・バッグ。
【考案の詳細な説明】
【技術分野】
【０００１】
この考案は、手提げバッグあるいはショルダーバッグ等のハンドバッグ等に収納されるバッグ・イン・バッグに関する。
【背景技術】
【０００２】
婦人用の手提げバッグあるいはショルダーバッグ等のハンドバッグは、その素材の種類は勿論のこと、大きさ、形状が異なる多種類のものが市販されている。ハンドバッグの内部にはセパレータが設けられたものが多く見受けられる。そして、セパレータによって区画された収納部に、財布、携帯電話、ハンカチ、化粧品、書籍、メモ帳、筆記具などを仕分けして収納することができるようになっている。
【０００３】
しかしながら、セパレータによって区画されていない、あるいは区画の数が少ないバッグも数多く市販されている。従って、例えば、携帯電話や貴重品等の身近に置いて置きたい物をハンドバッグの内部のセパレータによって区画された収納部に収納しても、携帯中に移動してしまい、いざ取り出そうとしても、探すのに苦労することがある。そこで、携帯電話や貴重品等をバッグ・イン・バッグに収納し、このバッグ・イン・バッグをハンドバッグの中に収納し、必要時にバッグ・イン・バッグごと簡単に取り出せるようにしている。
【考案の開示】
【考案が解決しようとする課題】
【０００４】
ところで、外出の際、荷物の量は極力少ないが、外出の目的の中に食事やショッピングなどの必要最小限の荷物のみを携帯すれば、事足りる場合がある。そのことを考慮して小さめのバッグを携帯することがある。この場合、そのバッグ自体が一つの荷物になってしまいがちである。
【０００５】
また、前述したようなバッグ・イン・バッグに、ストラップを設けて手提げタイプとしたり、長いストラップを設けたポシェットタイプとした場合、ハンドバッグから取り出したときにストラップがあるため、携帯に便利である。しかし、ハンドバッグの内部に収納したとき、ストラップ同士が絡み合ったり、ストラップがハンドバッグの他の内容物と絡み合ってしまい、内容物を取り出す際、あるいはバッグ・イン・バッグをハンドバッグから取り出す際に、取り出しにくく、また他の内容物まで一緒に取り出されてしまうことがある。
【０００６】
この考案は、前記事情に着目してなされたもので、その目的とするところは、バッグ・イン・バッグ本体の開口縁部にポケットを設け、バッグ・イン・バッグをハンドバッグの内部に収納する際には、ストラップをポケットに収納でき、ストラップが絡みつくことがなく、またストラップをバッグ・イン・バッグ本体から取り外したとき、ネックレス等の装身具として使用できるバッグ・イン・バッグを提供することにある。
【課題を解決するための手段】
【０００７】
この考案は、前記目的を達するために、ハンドバッグに収納されるバッグ・イン・バッグであって、バッグ・イン・バッグ本体の開口部に、該バッグ・イン・バッグ本体に対して着脱可能なストラップを設けると共に、前記バッグ・イン・バッグ本体の開口縁部に、前記ストラップの不使用時に該ストラップを収納するポケットを設けたことを特徴とする。
【０００８】
前記ストラップは、好ましくは、両端部に互に連結可能な連結具を備え、前記バッグ・イン・バッグ本体から取り外したとき、装身具として使用できることを特徴とする。
【０００９】
前記ストラップは、好ましくは、手提げ用あるいはショルダー用であることを特徴とする。
【考案の効果】
【００１０】
この考案によれば、外出の際の荷物の軽量化が図れるとともに、バッグ・イン・バッグを、例えば貴重品入れとして使用した場合、必要に応じてバッグ・イン・バッグをハンドバッグから取り出してバッグ・イン・バッグのみを携帯できる。また、バッグ・イン・バッグ本体の開口縁部にポケットが設けられているため、バッグ・イン・バッグをハンドバッグの内部に収納する際には、ストラップをポケットに収納できる。従って、ハンドバッグの内容物とストラップとが絡みつくことがなく、簡単に取り出すことができる。また、ストラップをバッグ・イン・バッグから取り外したとき、ストラップの長さによってはネックレス等の装身具として使用できるという効果がある。
【考案を実施するための最良の形態】
【００１１】
以下、この考案の実施の形態を図面に基づいて説明する。
【００１２】
図１〜図３はハンドバッグに収納されるバッグ・イン・バッグの第１の実施形態を示し、１１は比較的大形のハンドバッグであり、１２はハンドバッグ１１に収納されるバッグ・イン・バッグである。ハンドバッグ１１は、革製、合成皮製あるいは布製等のハンドバッグ本体１３と、このハンドバッグ本体１３のファスナー等を有した開口部１４における両端部には手提げ用あるいはショルダー用のダブルトップハンドル１５が設けられている。
【００１３】
ハンドバッグ本体１３の内部にはセパレータ１６によって収納部１７が設けられている。前記バッグ・イン・バッグ１２は、革製、合成皮製あるいは布製等のバッグ・イン・バッグ本体１９が例えば扁平袋状に形成され、上部には開口部２０が設けられている。バッグ・イン・バッグ本体１９の開口縁部で、バッグ・イン・バッグ本体１９の両側部における内側には対称的に矩形状の一対のポケット２１が設けられている。ポケット２１の上部にはポケット開口部２２が設けられ、このポケット開口部２２における長手方向の両端部にはバッグ・イン・バッグ本体１９と一体的にリング２３が縫い付けられている。
【００１４】
前記一対のポケット２１の両端部に設けられたリング２３にはストラップ２４の両端部に設けられた連結具２５によって着脱可能に連結されている。これら一対のストラップ２４は、手提げ用あるいはショルダー用であり、バッグ・イン・バッグ１２が単独で携帯できるようになっている。また、ストラップ２４は、取り外したとき、ストラップ２４の長さによってはネックレス等の装身具として使用できるように、鎖、ビーズ、組紐等によって形成されている。さらに、バッグ・イン・バッグ本体１９の内部には、例えば、携帯電話、眼鏡、筆記具等を取り出しやすく、挿入できるループ２６が設けられている。
【００１５】
このように構成されたハンドバッグ１１に収納されるバッグ・イン・バッグ１２は、例えば貴重品等を収納してハンドバッグ１１の内部に収納することができる。この場合、ストラップ２４は不要であるため、ストラップ２４をそれぞれバッグ・イン・バッグ本体１９のポケット２１に収納することにより、ハンドバッグ１１の内部でストラップ２４同士が絡み合ったり、ストラップ２４が他の内容物と絡みつくことはない。従って、バッグ・イン・バッグ１２をハンドバッグ１１の内部に収納したまま、その開口部２０から貴重品等を出し入れすることもできる。
【００１６】
また、バッグ・イン・バッグ１２を携帯する際には、ハンドバッグ１１からバッグ・イン・バッグ１２を取り出し、ポケット開口部２２からストラップ２４を引き出すことにより、バッグ・イン・バッグ１２を手提げ用あるいはポシェット用の小型バッグとして使用できる。
【００１７】
また、ストラップ２４の両端部には連結具２５が設けられ、バッグ・イン・バッグ本体１９のリング２３に着脱可能に連結されているため、ストラップ２４を取り外してバッグ・イン・バッグ本体１９と分離することにより、ストラップ２４の長さによってはネックレス等の装身具として使用することができる。
【００１８】
バッグ・イン・バッグ１２を考案する背景には、ストラップはバッグに対して着脱可能ではあったが、ストラップを収納するポケットはなかったため、大きなバッグの中にあってはストラップを取り外して仕切りに使用し、必要時にストラップを取付けていたものである。しかし、急ぎの場合のことを考慮した場合、ストラップは着脱可能でありながらバッグ・イン・バッグに付いていた方が、より良いのではないかと考慮するに至った結果、ストラップを収納するポケットを設けることを考案したものである。この結果、大きなバッグの中にあっては、ストラップが邪魔にならない上に、ストラップを即座に取り出せる方法としてこの形状を考案したものである。
【００１９】
なお、この考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組合わせてもよい。
【図面の簡単な説明】
【００２０】
【図１】この考案の第１の実施形態を示し、ハンドバッグにバッグ・イン・バッグを収納した状態の斜視図。
【図２】同実施形態のバッグ・イン・バッグの斜視図。
【図３】同実施形態のバッグ・イン・バッグの縦断側面図。
【符号の説明】
【００２１】
１１…ハンドバッグ、１２…バッグ・イン・バッグ、１３…ハンドバッグ本体、１９…バッグ・イン・バッグ本体、２０…開口部、２１…ポケット、２２…ポケット開口部、２４…ストラップ。
【図１】
0003104436.tif 000003
【図２】
0003104436.tif 000004
【図３】
0003104436.tif 000005